(57)【要約】 【課題】  コネクタにフレキシブル基板を確実に接続し固定することができ、接触不良を未然に防止することができるフレキシブル基板の接続構造を提供する。【解決手段】  コネクタ１１のうちスライダ１４に係合部１９を設け、ＦＰＣ１０に被係合部２０を形成し、これら係合部１９と被係合部２０とを係合したうえで、スライダ１４によって、係合部１９と被係合部２０とが係合した状態を保持することで、コネクタ１１にＦＰＣ１０を確実に接続し固定する。【選択図】      図１
2005327612.tif 000002
【特許請求の範囲】
【請求項１】
コネクタにフレキシブル基板を接続し固定する接続構造において、
コネクタに設けられる係合部と、フレキシブル基板に形成される被係合部とが係合可能に構成され、前記コネクタは、コネクタ本体と、前記係合部と前記被係合部とが係合した状態を保持するためのロック手段とを有し、これらコネクタ本体およびロック手段の少なくともいずれか一方に、前記係合部が設けられることを特徴とするフレキシブル基板の接続構造。
【請求項２】
前記コネクタ本体には、フレキシブル基板の一部を挿入するための挿入孔が予め形成され、前記フレキシブル基板の一部には、複数の被係合部が、このフレキシブル基板の挿入方向および該フレキシブル基板の厚み方向に略直交する方向に沿って形成されることを特徴とする請求項１に記載のフレキシブル基板の接続構造。
【請求項３】
コネクタ本体には、フレキシブル基板の一部を挿入するための挿入孔が予め形成され、前記フレキシブル基板の一部には、複数の被係合部が挿入方向に沿って形成されることを特徴とする請求項１または２に記載のフレキシブル基板の接続構造。
【請求項４】
コネクタにフレキシブル基板を接続し固定する接続構造において、
フレキシブル基板に設けられる突起部と、コネクタに形成される凹所とが嵌合可能に構成され、前記コネクタは、コネクタ本体と、前記突起部と前記凹所とが嵌合した状態を保持するためのロック手段とを有し、これらコネクタ本体およびロック手段の少なくともいずれか一方に、前記凹所が形成されることを特徴とするフレキシブル基板の接続構造。
【請求項５】
コネクタには複数の凹所が形成され、フレキシブル基板が前記コネクタに挿入されるべき挿入方向および該フレキシブル基板の厚み方向に略直交する方向に沿って、前記複数の凹所が配設されることを特徴とする請求項４に記載のフレキシブル基板の接続構造。
【請求項６】
コネクタには複数の凹所が形成され、フレキシブル基板が前記コネクタに挿入されるべき挿入方向に沿って、前記複数の凹所が配設されることを特徴とする請求項４に記載のフレキシブル基板の接続構造。
【発明の詳細な説明】
【技術分野】
【０００１】
本発明は、フレキシブル基板の接続構造に関し、コネクタとフレキシブル基板とを接続する際に適用される技術に関する。
【０００２】
本発明において、「略直交する方向」は、直交する方向を含む。
【背景技術】
【０００３】
フレキシブル基板とコネクタとを接続する技術が種々実用に供されている（たとえば特許文献１参照）。図７は、従来技術に係るフレキシブル基板１の接続構造の要部の断面図である。図８は、従来技術に係るフレキシブル基板１およびコネクタ２の平面図である。フレキシブル基板１は、フィルム状に形成された可撓性基板であり、このフレキシブル基板１には、導電性および非導電性の図形を含むパターンが形成されている。前記パターンの終端部に接続部１ａが形成され、この接続部１ａがコネクタ２に挿入されて接続される。コネクタ２は、たとえば別のプリント基板または他の機器などに実装される。前記コネクタ２は、その挿入孔が実装面に対して平行に形成されるいわゆる横型のコネクタ２であって、ハウジング３（コネクタ本体）とロック部品４とを備える。ロック部品４は、ハウジング３に挿入したフレキシブル基板１が抜けないようにロックする機能を有する。
【０００４】
フレキシブル基板１とコネクタ２とを接続するには、先ず、コネクタ２のロック部品４をロック解除状態にする。次にフレキシブル基板１の接続部１ａをハウジング３の挿入孔に挿入する。その後ロック部品４を、ハウジング３に押し込みロック状態にする。これによって、フレキシブル基板１の接続端子をコネクタ２の接続端子に圧着させて接続し得る。
【０００５】
【特許文献１】特開平６−３３３６１８号公報
【発明の開示】
【発明が解決しようとする課題】
【０００６】
従来技術に係るフレキシブル基板１の接続構造では、フレキシブル基板１の接続部１ａに貼り付けられる補強板の寸法ばらつき、補強板の貼り付け位置の位置ずれなどによって、ハウジング３に対しフレキシブル基板１が挿入不十分となるか、または斜め挿入となる（図８参照）。このようなフレキシブル基板１の不所望な挿入状態であっても、ロック部品４を一時的にロック状態にすることが可能であるうえ、フレキシブル基板１の接続部１ａの挿入状態を目視にて判定することが困難である。これによってロック部品４のロック状態が不完全となり、振動などの要因によってフレキシブル基板１の接続端子とコネクタ２の接続端子との接続が外れ、接触不良を起こすおそれがある。
【０００７】
本発明の目的は、コネクタにフレキシブル基板を確実に接続し固定することができ、接触不良を未然に防止することができるフレキシブル基板の接続構造を提供することである。
【課題を解決するための手段】
【０００８】
本発明は、コネクタにフレキシブル基板を接続し固定する接続構造において、
コネクタに設けられる係合部と、フレキシブル基板に形成される被係合部とが係合可能に構成され、前記コネクタは、コネクタ本体と、前記係合部と前記被係合部とが係合した状態を保持するためのロック手段とを有し、これらコネクタ本体およびロック手段の少なくともいずれか一方に、前記係合部が設けられることを特徴とするフレキシブル基板の接続構造である。
【０００９】
本発明に従えば、コネクタには係合部が設けられ、フレキシブル基板には被係合部が形成されている。これら係合部と被係合部とを係合することで、コネクタにフレキシブル基板を確実に接続し固定することが可能となる。前記コネクタは、コネクタ本体とロック手段とを有する。該ロック手段は、係合部と被係合部とが係合した状態を保持するためのものである。このロック手段によって、係合部と被係合部とが係合した状態を保持し得る。前記係合部は、コネクタ本体およびロック手段の少なくともいずれか一方に設けられる。このような係合部と、フレキシブル基板に形成される被係合部とを係合することができる。
【００１０】
また本発明は、前記コネクタ本体には、フレキシブル基板の一部を挿入するための挿入孔が予め形成され、前記フレキシブル基板の一部には、複数の被係合部が、このフレキシブル基板の挿入方向および該フレキシブル基板の厚み方向に略直交する方向に沿って形成されることを特徴とする。
【００１１】
本発明に従えば、フレキシブル基板の一部には、フレキシブル基板を挿入すべき挿入方向および該フレキシブル基板の厚み方向に略直交する方向に沿って、複数の被係合部が形成される。したがってコネクタ本体に対しフレキシブル基板を、挿入方向およびフレキシブル基板の厚み方向に略直交する方向へ規制することができる。
【００１２】
また本発明は、コネクタ本体には、フレキシブル基板の一部を挿入するための挿入孔が予め形成され、前記フレキシブル基板の一部には、複数の被係合部が挿入方向に沿って形成されることを特徴とする。
【００１３】
本発明に従えば、フレキシブル基板の一部には、挿入方向に沿って複数の被係合部が形成される。したがってコネクタ本体に対し、フレキシブル基板を挿入方向に規制することができる。
【００１４】
また本発明は、コネクタにフレキシブル基板を接続し固定する接続構造において、
フレキシブル基板に設けられる突起部と、コネクタに形成される凹所とが嵌合可能に構成され、前記コネクタは、コネクタ本体と、前記突起部と前記凹所とが嵌合した状態を保持するためのロック手段とを有し、これらコネクタ本体およびロック手段の少なくともいずれか一方に、前記凹所が形成されることを特徴とするフレキシブル基板の接続構造である。
【００１５】
本発明に従えば、フレキシブル基板には突起部が設けられ、コネクタには凹所が形成されている。これら突起部と凹所とを嵌合することで、コネクタにフレキシブル基板を確実に接続し固定することが可能となる。前記コネクタは、コネクタ本体およびロック手段を有する。このロック手段によって、突起部と凹所とが嵌合した状態を保持し得る。凹所は、コネクタ本体およびロック部品の少なくともいずれか一方に形成される。このような凹所に、フレキシブル基板の突起部を嵌合させることができる。
【００１６】
また本発明は、コネクタには複数の凹所が形成され、フレキシブル基板が前記コネクタに挿入されるべき挿入方向および該フレキシブル基板の厚み方向に略直交する方向に沿って、前記複数の凹所が配設されることを特徴とする。
【００１７】
本発明に従えば、コネクタには、複数の凹所が配設される。前記複数の凹所は、前記挿入方向および前記厚み方向に略直交する方向に沿って、配設される。したがってコネクタに対しフレキシブル基板を、挿入方向およびフレキシブル基板の厚み方向に略直交する方向へ規制することができる。
【００１８】
また本発明は、コネクタには複数の凹所が形成され、フレキシブル基板が前記コネクタに挿入されるべき挿入方向に沿って、前記複数の凹所が配設されることを特徴とする。
【００１９】
本発明に従えば、コネクタには、挿入方向に沿って複数の凹所が形成される。したがってコネクタに対し、フレキシブル基板を挿入方向に規制することができる。
【発明の効果】
【００２０】
本発明によれば、コネクタには係合部が設けられ、フレキシブル基板には、被係合部が形成されている。これら係合部と被係合部とを係合することで、コネクタにフレキシブル基板を確実に接続し固定することが可能となる。前記コネクタは、コネクタ本体とロック手段とを有し、このロック手段によって、係合部と被係合部とが係合した状態を保持し得る。前記係合部は、コネクタ本体およびロック手段の少なくともいずれか一方に設けられ、このような係合部と、フレキシブル基板に形成される被係合部とを係合することができる。したがってフレキシブル基板がコネクタから不所望に離脱することがなくなるうえ、接触不良を未然に防止することができる。
【００２１】
また本発明によれば、フレキシブル基板の一部には、フレキシブル基板を挿入すべき挿入方向および該フレキシブル基板の厚み方向に略直交する方向に沿って、複数の被係合部が形成される。したがってコネクタ本体に対しフレキシブル基板を、挿入方向およびフレキシブル基板の厚み方向に略直交する方向へ規制することができる。それ故、フレキシブル基板をコネクタ本体に一層確実に接続し固定することができる。
【００２２】
また本発明によれば、フレキシブル基板の一部には、挿入方向に沿って複数の被係合部が形成される。したがってコネクタ本体に対し、フレキシブル基板を挿入方向に規制することができる。それ故、フレキシブル基板をコネクタ本体に一層確実に接続し固定することができる。
【００２３】
また本発明によれば、フレキシブル基板には突起部が設けられ、コネクタには凹所が形成されている。これら突起部と凹所とを嵌合することで、コネクタにフレキシブル基板を確実に接続し固定することが可能となる。前記コネクタはコネクタ本体およびロック手段を有し、このロック手段によって、突起部と凹所とが嵌合した状態を保持し得る。凹所は、コネクタ本体およびロック部品の少なくともいずれか一方に形成される。このような凹所に、フレキシブル基板の突起部を嵌合させることができる。したがってフレキシブル基板がコネクタから不所望に離脱することがなくなるうえ、接触不良を未然に防止することができる。
【００２４】
また本発明によれば、コネクタには複数の凹所が配設され、前記複数の凹所は、前記挿入方向および前記厚み方向に略直交する方向に沿って、配設される。したがって、コネクタに対しフレキシブル基板を、挿入方向およびフレキシブル基板の厚み方向に略直交する方向へ規制することができる。それ故、フレキシブル基板をコネクタに一層確実に接続し固定することができる。
【００２５】
また本発明によれば、コネクタには、挿入方向に沿って複数の凹所が形成されるので、コネクタに対し、フレキシブル基板を挿入方向に規制することができる。それ故、フレキシブル基板をコネクタに一層確実に接続し固定することができる。
【発明を実施するための最良の形態】
【００２６】
図１は、本発明の第１の実施形態に係るフレキシブル基板１０の接続構造を示し、図１（ａ）は、コネクタ１１とフレキシブル基板１０との関係を表す要部の断面図、図１（ｂ）は、コネクタ１１およびフレキシブル基板１０の平面図である。図２は、フレキシブル基板１０の被係合部を示す斜視図であり、図２（ａ）は、複数の被係合部がＹ方向に沿って配設される形態を示す斜視図、図２（ｂ）は、複数の被係合部が挿入方向（Ｘ方向）に沿って配設される形態を示す斜視図、図２（ｃ）は、単一の被係合部が形成される形態を示す斜視図である。本実施形態に係るフレキシブル基板の接続構造は、コネクタとフレキシブル基板とを接続する際に適用される。以下の説明は、フレキシブル基板の接続方法の説明をも含む。
【００２７】
フレキシブル基板１０（略称ＦＰＣ：Flexible Printed Circuits）は、電気絶縁体を素材とした可撓性の板に、たとえば銅箔などから成る電気回路つまりパターン１０ａをプリントしたものである。フレキシブル基板１０を、フレキシブルプリント基板という場合もある。ＦＰＣ１０のパターンの終端部に接続部１２が形成され、この接続部１２が、コネクタ１１に挿入されて接続可能になっている。コネクタ１１は、別のプリント基板、たとえばメイン基板、他の機器およびサブ基板などの少なくともいずれか一つに実装される。
【００２８】
コネクタ１１は、その挿入孔が実装面に対して平行に形成されるいわゆる横型のコネクタであって、ハウジング１３とスライダ１４とを備える。前記ハウジング１３がコネクタ本体に相当し、スライダ１４がロック手段に相当する。ハウジング１３は、スライダ１４のロック状態（後述する）において略直方体形状に形成される。つまりハウジング１３の一側壁側には、後述するスライダ１４の基端部１５を嵌合可能でかつＦＰＣ１０の一部を挿入可能な挿入孔が形成されている。
【００２９】
このハウジング１３の挿入孔にスライダ１４の基端部１５を嵌合した状態（つまりロック状態）において、これらハウジング１３とスライド１４とで略直方体形状となる。換言すれば、スライダ１４の基端部１５がハウジング１３の一側壁部を成す。前記略直方体形状は、直方体形状を含む。ここでＦＰＣ１０を挿入すべき方向に平行な方向を、Ｘ方向と定義する。ＦＰＣ１０の厚み方向をＺ方向と定義する。前記Ｘ方向およびＺ方向に直交する方向をＹ方向と定義し、これらＸ，Ｙ，Ｚ方向を図１および図２において、それぞれＸ，Ｙ，Ｚと表記する。
【００３０】
スライダ１４は、ハウジング１３の挿入孔から該ハウジング１３内に挿入したＦＰＣ１０が抜けないようにロックする機能を有する。スライダ１４は、ハウジング１３にロック状態とロック解除状態とに切換え可能に設けられる。ロック解除状態とは、スライダ１４の基端部１５がハウジング１３の挿入孔から離脱した状態と同義である。このロック解除状態において、ＦＰＣ１０をハウジング１３に着脱可能に構成される。逆にロック状態においては、ハウジング１３に対しＦＰＣ１０の着脱が不可能になっている。図１（ｂ）に示すように、スライダ１４の基端部１５から、その基端部１５の厚み方向一方（Ｘ方向一方）に延びる第１，第２，第３スライダ部１６，１７，１８が付設されている。これら第１〜第３スライダ部１６，１７，１８は、基端部１５の長手方向つまりＹ方向に沿って一定間隔おきにかつ平行に配設されている。各スライダ部は、前記ロック状態においてハウジング１３内に格納される。
【００３１】
各スライダ部の先端部分には、ハウジング１３内に挿入したＦＰＣ１０をロックするための係合部１９が付設されている。すなわち各スライダ部の先端部分において、係合部１９は、そのスライダ部のＺ方向一方（矢符Ｚ１で表記する）に、所定小距離突出するように付設されている。また第１〜第３スライダ部１６，１７，１８にそれぞれ付設される三つの係合部１９は、同一形状に形成されるうえＹ方向に沿って一定間隔おきにかつ平行に配設されている。しかも係合部１９は、第１の傾斜部分１９ａ、頂部分１９ｂおよび第２の傾斜部分１９ｃを含む。第１の傾斜部分１９ａは、Ｚ方向一方に向かうに従って延び方向一方（矢符Ｎ１で表記する）に傾斜するように設けられている。第２の傾斜部分１９ｃは、Ｚ方向一方に向かうに従って延び方向他方（矢符Ｎ２で表記する）に傾斜するように設けられている。これら第１および第２の傾斜部分１９ａ，１９ｃで結ばれる部分が、頂部分１９ｂに相当する。換言すれば、各係合部１９は、第１の傾斜部分１９ａ、頂部分１９ｂおよび第２の傾斜部分１９ｃを含むくさび形状を成している。
【００３２】
ＦＰＣ１０の接続部１２付近には、前記係合部１９に係合される複数の被係合部２０が形成されている。つまり複数の被係合部２０は、第１，第２，第３スライダ部１６，１７，１８にそれぞれ付設される三つの係合部１９に対応するように、ＦＰＣ１０に形成されている。換言すれば、ＦＰＣ１０の一部には、三つの被係合部２０がＦＰＣ１０のＹ方向に沿って形成されている。各被係合部２０は、ＦＰＣ１０をハウジング１３に挿入すべき挿入方向つまりＸ方向にやや長い長孔状に形成されている。ロック状態において、このような長孔状に形成される被係合部２０に対し、くさび形状を成す係合部１９が強固に嵌まり込むようになっている。
【００３３】
図３は、フレキシブル基板１０の接続方法を段階的に示すフローチャートである。コネクタ１１にＦＰＣ１０を接続し固定する際には、先ずステップｓ１で、ロック解除状態にしておき、ＦＰＣ１０の一部をハウジング１３の挿入孔に挿入する。次にステップｓ２に移行し、スライダ１４をハウジング１３に押し戻すことで、第１，第２，第３スライダ部１６，１７，１８の各係合部１９と、ＦＰＣ１０の被係合部２０とを係合する。その後ステップｓ３において、ハウジング１３の挿入孔にスライダ１４の基端部１５を嵌合する。つまりスライダ１４をロック状態にする。これによって係合部１９と被係合部２０との係合状態を保持することができる。
【００３４】
以上説明したフレキシブル基板１０の接続構造および接続方法によれば、コネクタ１１のうちスライダ１４に係合部１９が設けられ、ＦＰＣ１０には、被係合部２０が形成されている。これら係合部１９と被係合部２０とを係合することで、コネクタ１１にＦＰＣ１０を確実に接続し固定することが可能となる。このコネクタ１１は、コネクタ本体としてのハウジング１３と、ロック手段としてのスライダ１４とを有する。前記スライダ１４によって、係合部１９と被係合部２０とが係合した状態を保持し得る。したがってＦＰＣ１０がコネクタ１１から不所望に離脱することがなくなるうえ、ＦＰＣ１０の接続部１２における接触不良を未然に防止することができる。第１〜第３スライダ部１６，１７，１８にそれぞれ付設される三つの係合部１９は、Ｙ方向に沿って配設されている。それ故、ＦＰＣ１０の三箇所の被係合部２０も、Ｙ方向に沿って配設される。したがってハウジング１３に対しＦＰＣ１０の一部を、挿入方向およびＦＰＣ１０の厚み方向に略直交する方向つまりＹ方向へ規制することができる。これによって、ハウジング１３に対しＦＰＣ１０が挿入不十分となることを防止し得るとともに、斜め挿入となることを未然に防止することができる。したがってＦＰＣ１０をハウジング１３に一層確実に接続し固定することができる。
【００３５】
係合部１９は、第１の傾斜部分１９ａ、頂部分１９ｂおよび第２の傾斜部分１９ｃを含むくさび形状を成しているので、ハウジング１３に対しＦＰＣ１０を仮にやや斜めに挿入したとしても、スライダ１４をハウジング１３に押し戻す際に、係合部１９のくさび形状によってＦＰＣ１０の位置が規制される。言い換えれば、ＦＰＣ１０の一部はハウジング１３の正規の位置に強制的に規制されて、接続し固定される。このような接続構造によれば、フレキシブル基板の接続端子をコネクタの接続端子に圧着させて接続する従来構造よりも、ハウジング１３の構造を簡単化することが可能となる。これによって製作コストの低減を図ることができる。
【００３６】
第１の実施形態に係るＦＰＣ１０の接続構造では、図２（ａ）に示すように、複数の被係合部２０がＹ方向に沿って配設されるが、この接続構造に必ずしも限定されるものではない。たとえば図２（ｂ）に示すように、複数の被係合部２０Ａを矢符Ｄ１にて表記する挿入方向（Ｘ方向）に沿って配設してもよい。この場合には、スライダ１４に付設されるべき複数の係合部は、延び方向に沿って配設される。この接続構造によれば、コネクタ１１に対し、ＦＰＣ１０Ａを挿入方向に規制することができる。
【００３７】
換言すれば、ＦＰＣ１０Ａをコネクタ１１に過度に挿入し過ぎることを防止することができる。逆にＦＰＣ１０Ａがコネクタ１１に対し挿入不足となることを防止することができる。しかも各係合部２０Ａは、Ｙ方向に延びる長孔形状に形成されるので、コネクタ１１に対し、ＦＰＣ１０ＡをＹ方向に規制することも可能となる。このように、ＦＰＣ１０Ａをコネクタ１１に一層確実に接続し固定することができる。なお図２（ｃ）に示すように、ＦＰＣ１０Ｂに単一の被係合部２０Ｂが形成される接続構造にすることも可能である。この場合には、スライダに付設されるべき係合部の構造を簡単化することができる。
【００３８】
図４は、フレキシブル基板１０の要部を部分的に変更した変更形態に係る斜視図であり、図４（ａ）は、複数の被係合部がＸ方向一方に向かうに従って順次Ｙ方向に変位するように斜めに配設される形態を示す斜視図、図４（ｂ）および図４（ｃ）は、複数の被係合部が異なる形状に形成される形態を示す斜視図である。
【００３９】
たとえば図４（ａ）に示すように、複数の被係合部２０ａを、Ｘ方向一方に向かうに従って順次Ｙ方向に変位するように斜めに配設してもよい。この変更形態によれば、ＦＰＣ１０の表面部と裏面部とを間違うことなく、ＦＰＣ１０をハウジング１３の挿入孔に挿入することができる。しかもＦＰＣ１０をコネクタ１１に過度に挿入し過ぎた状態でスライダ１４によりロック状態にしようとしても、コネクタ１１側の複数の係合部のうちの少なくとも１つが、係合状態となることを阻止される。ＦＰＣ１０をコネクタ１１に対し挿入不足状態でスライダ１４によりロック状態にしようとしても、やはり複数の係合部のうちの少なくとも１つが、係合状態となることを阻止される。このようにＦＰＣ１０をハウジング１３に確実に接続し固定することができる。
【００４０】
また図４（ｂ）に示すように、複数の被係合部２０ｂ，２０ｃ，２０ｄを異なる形状に形成してもよい。この変更形態においては、それぞれ形状の異なる複数の被係合部２０ｂ，２０ｃ，２０ｄが、Ｙ方向に沿って配設されるので、前述の変更形態と同様の効果を奏する。つまりＦＰＣ１０の表面部と裏面部とを間違うことなく、ＦＰＣ１０をハウジング１３の挿入孔に挿入することができるうえ、ＦＰＣ１０をハウジング１３に確実に接続し固定することができる。
【００４１】
また図４（ｃ）に示すように、複数の被係合部２０ｅ，２０ｆ，２０ｇを異なる形状に形成してもよい。この変更形態においては、それぞれ形状の異なる複数の被係合部２０ｅ，２０ｆ，２０ｇが、Ｘ方向に沿って配設され、かつＸ方向一方に向かうに従ってＹ方向に幅狭な形状（換言すれば矢符形状）に形成される。したがって、ＦＰＣ１０をハウジング１３の挿入孔に挿入すべき方向を、示唆することが可能となる。しかもＦＰＣ１０をハウジング１３に確実に接続し固定することができる。
【００４２】
図５は、本発明の第２の実施形態に係るフレキシブル基板１０の接続構造の要部の断面図である。ただし第１の実施形態と同一の部材には同一の符号を付し、その詳細な説明は省略する。第２のコネクタ１１Ａは、ハウジング１３Ａとスライダ１４Ａとを備える。スライダ１４Ａは、ＦＰＣ１０がハウジング１３Ａから抜けないようにロックする機能を有する。このスライダ１４Ａは、ハウジング１３Ａにロック状態とロック解除状態とに切換え可能に設けられる。スライダ１４Ａは、基端部１５と、第１〜第３スライダ部２１とを有する。
【００４３】
ハウジング１３Ａ内において、ロック状態の各スライダ部２１の先端部分に臨む表面部には、係合部２２が付設されている。つまり三つの係合部２２は、Ｙ方向に沿って配設されている（図１（ｂ）参照）。しかも各係合部２２は、第１の傾斜部分２２ａ、頂部分２２ｂおよび第２の傾斜部分２２ｃを含む。第１の傾斜部分２２ａは、Ｚ方向他方（矢符Ｚ２で表記する）に向かうに従って挿入方向（矢符Ｄ１で表記する）に傾斜するように設けられている。第２の傾斜部分２２ｃは、Ｚ方向他方に向かうに従って離脱方向（矢符Ｄ２で表記する）に傾斜するように設けられている。これら第１および第２の傾斜部分２２ａ，２２ｃで結ばれる部分が、頂部分２２ｂに相当する。換言すれば、各係合部２２は、第１の傾斜部分２２ａ、頂部分２２ｂおよび第２の傾斜部分２２ｃを含むくさび形状を成している。三つの被係合部２０は、三つの係合部２２にそれぞれ対応するようにＦＰＣ１０に形成されている。ロック状態において、各スライダ１４Ａの先端部分が各係合部２２の頂部分２２ｂに圧接して、長孔状に形成される被係合部２０に対し、くさび形状を成す係合部２２が強固に嵌まり込むようになっている。以上説明した第２の実施の形態に係るＦＰＣ２０の接続構造によれば、係合部２２と被係合部２０とを係合することで、コネクタ１１ＡにＦＰＣ１０を確実に接続し固定することが可能となる。したがってＦＰＣ１０がコネクタ１１Ａから不所望に離脱することがなくなるうえ、ＦＰＣ１０の接続部における接触不良を未然に防止することができる。その他第１の実施形態と同様の効果を奏する。
【００４４】
図６は、本発明の第３の実施形態に係るフレキシブル基板１０Ａの接続構造の要部の断面図である。ただし第１または第２の実施形態と同一の部材には同一の符号を付し、その詳細な説明は省略する。この第３の接続構造は、ＦＰＣ１０Ａに設けられる突起部２３と、コネクタ１１Ｂに形成される凹所２４とが嵌合可能に構成されている。つまりロック状態において、突起部２３が凹所２４に嵌まり込むとともに、スライダ１４Ｂの先端部分が前記突起部２３を圧接するように構成されている。このようにコネクタ１１ＢにＦＰＣ１０Ａを確実に接続し固定することが可能となる。したがってＦＰＣ１０Ａがコネクタ１１Ｂから不所望に離脱することがなくなるうえ、ＦＰＣ１０Ａの接続部における接触不良を未然に防止することができる。前記スライダ１４Ｂがロック手段に相当する。
【００４５】
コネクタ１１Ｂに形成されるべき凹所２４はハウジング１３Ｂに形成し得る。この場合ＦＰＣ１０Ａには、矢符Ｚ１で表記するＺ方向一方に突起部２３が所定小距離突出するように配設される。またコネクタ１１Ｂに形成されるべき凹所２４はスライダ１４Ｂに形成し得る。この場合ＦＰＣ１０Ａには、矢符Ｚ２で表記するＺ方向他方に突起部２３が所定小距離突出するように配設される。
【００４６】
本実施形態において、被係合部は貫通孔状に形成されるが、この被係合部を非貫通孔状に凹設してもよい。この場合にも、本実施形態と同様の効果を奏する。またスライダまたはハウジングに形成される凹所は、貫通孔状または非貫通孔状のいずれに形成してもよい。いずれの場合にも本実施形態と同様の効果を奏する。
【図面の簡単な説明】
【００４７】
【図１】本発明の第１の実施形態に係るフレキシブル基板１０の接続構造を示し、図１（ａ）は、コネクタ１１とフレキシブル基板１０との関係を表す要部の断面図、図１（ｂ）は、コネクタ１１およびフレキシブル基板１０の平面図である。
【図２】フレキシブル基板１０の被係合部を示す斜視図であり、図２（ａ）は、複数の被係合部がＹ方向に沿って配設される形態を示す斜視図、図２（ｂ）は、複数の被係合部が挿入方向（Ｘ方向）に沿って配設される形態を示す斜視図、図２（ｃ）は、単一の被係合部が形成される形態を示す斜視図である。
【図３】フレキシブル基板１０の接続方法を段階的に示すフローチャートである。
【図４】フレキシブル基板の要部を部分的に変更した変更形態に係る斜視図であり、図４（ａ）は、複数の被係合部がＸ方向一方に向かうに従って順次Ｙ方向に変位するように斜めに配設される形態を示す斜視図、図４（ｂ）および図４（ｃ）は、複数の被係合部が異なる形状に形成される形態を示す斜視図である。
【図５】本発明の第２の実施形態に係るフレキシブル基板１０の接続構造の要部の断面図である。
【図６】本発明の第３の実施形態に係るフレキシブル基板１０Ａの接続構造の要部の断面図である。
【図７】従来技術に係るフレキシブル基板１の接続構造の要部の断面図である。
【図８】従来技術に係るフレキシブル基板１およびコネクタ２の平面図である。
【符号の説明】
【００４８】
１０，１０Ａ  ＦＰＣ
１１，１１Ａ，１１Ｂ  コネクタ
１３，１３Ａ  ハウジング
１４，１４Ａ，１４Ｂ  スライダ
１９  係合部
２０，２０Ａ，２０Ｂ  被係合部
２３  突起部
２４  凹所
【図１】
2005327612.tif 000003
【図２】
2005327612.tif 000004
【図３】
2005327612.tif 000005
【図４】
2005327612.tif 000006
【図５】
2005327612.tif 000007
【図６】
2005327612.tif 000008
【図７】
2005327612.tif 000009
【図８】
2005327612.tif 000010